(57)【要約】 【課題】  寝る人３０の下に容易にセットすることができ、しかもまた、寝る人３０の下から容易に抜き取ることができる移動シート１０の提供。  【解決手段】  移動シート１０は、互いに分離した一対のシート片２０１，２０２を備える。一方のシート片２０１が寝る人３０の体の右半分を支え、また、他方のシート片２０２が寝る人３０の体の左半分を支える。介護をする人は、それら各シート片２０１，２０２をそれぞれ寝る人３０の体半分の下に差し入れるようにセットする。そして、握り部５０を握って各シート片２０１，２０２を上方に引っ張るようにして寝る人３０の位置を正すことができる。    【選択図】  図１
2007054178.tif 000002
【特許請求の範囲】
【請求項１】
寝床とその上に寝る人との間に入れ、寝る人を載せたまま移動シートを寝床の上を移動させ、その移動シートの移動に応じて寝る人の寝床上の位置を変えるようにした介護用の移動シートであって、次の各特徴をもつ、移動シート。
（Ａ）前記移動シートは、互いに分離した一対のシート片を備え、それら一対のシート片の一方が寝る人の体の左半分を支え、他方が寝る人の体の右半分を支える
（Ｂ）前記一対の各シート片は、少なくとも寝る人の背中から尻の部分にまでわたる長さをもち、背中から頭部側に伸びる側の端部に、前記移動シートを移動させるための握り部がある
（Ｃ）前記一対の各シート片は、前記寝床に接する側の少なくとも一面が前記寝床側に比べて滑り性が高い    
【請求項２】
前記一対の各シート片は、前記握り部がある側の端部が他方の端部に比べて幅が狭く、その幅は前記握り部を握る拳の幅寸法と同等である、請求項１の移動シート。  
【請求項３】
前記一対の各シート片は、表面が裏面に比べて滑りやすくなった二枚の生地を縫い合わせた構成である、請求項１の移動シート。
【請求項４】
前記握り部は、前記シート片の他の構成部分よりも厚みがあるか、滑り性が小さいか、少なくとも一方の特性を備え、前記他の構成部分に比べてより握りやすい構成である、請求項１あるいは２の移動シート。
【請求項５】
前記握り部は、クッション性があり、掌に入るような大きさの膨らみをもつ、請求項４の移動シート。    
【発明の詳細な説明】
【技術分野】
【０００１】
この発明は、病人や寝たきりの人など、介護を必要とする人を寝床上で移動する際に用いる、介護用の移動シートの技術に関する。別にいうと、介護をする人を補助し、その労力を節約するための移動シートの技術に関する。
【背景技術】
【０００２】
たとえば、介護の一環として、寝床（ベッドや布団などであり、一般には、ベッド）に寝る人を寝床上で移動させ、位置を変えるという作業がある。そのような作業は、着替えなどの他の作業に伴って必要になることもあるが、たとえば、上半分が起き上がるようになったベッドなどでは、日常的なことである。なぜなら、そのようなベッドの機能に起因して、寝る人は自ずと足側にずれ動く傾向があるからである。寝床上に寝た介護を必要とする人を、たとえばベッドの上方に移動させて姿勢を正すには、かなりの体力が必要である。  
【０００３】
そこで、介護をする人を補助するため、この種の介護用の移動シートが知られている。その移動シートは、たとえば、特許文献１に示すように、寝床とその上に寝る人との間に入れ、寝る人を載せたまま移動シートを寝床の上を移動させ、その移動シートの移動に応じて寝る人の寝床上の位置を変えるという考え方に基づく。特に、特許文献１では、一枚のシートを折り返して上面シートと下面シートとの二枚重ねにし、寝る人のすぐ下の上面シートを移動することにし、移動時の滑り性をより良くしている。  
【特許文献１】特開平９−３８１４０号公報
【発明の開示】
【発明が解決しようとする課題】
【０００４】
上のような考え方に基づく移動シートは、介護をする人の労力を節約することは確かである。しかし、今までの移動シートは、すべて一枚物であり、その移動シート自体が寝る人の背面の全体をカバーする大きさである。そのため、その移動シートを寝る人の下に入れ適正にセットすることがかなり大変である。移動シートを寝る人の下にセットするときにも、寝る人の姿勢を大きく変えることが必要になるからである。その点、移動の作業を終えた後で、移動シートを抜き取るときも同様である。
【０００５】
また、特許文献１のように、上面シートと下面シートとの二枚重ねの移動シートは、滑り性を良くすることはできるが、全体の大きさが大きくなり、取扱いあるいは操作が難しくなるという別の問題もある。  
【０００６】
そこで、この発明は、介護をする人を補助することは勿論のこと、移動シートを寝る人の下に容易にセットすることができ、しかもまた、寝る人の下から容易に抜き取ることができる技術を提供することを目的とする。
また、この発明は、寝る人を移動させる作業自体をより効率的に行うことができ、介護をする人の労力を有効に節約することができる技術を提供することを他の目的とする。  
この発明のその他の目的については、今後の説明から明らかになるであろう。
【課題を解決するための手段】
【０００７】
この発明の移動シートは、次のＡ〜Ｃの各特徴をもつ。
（Ａ）前記移動シートは、互いに分離した一対のシート片を備え、それら一対のシート片の一方が寝る人の体の左半分を支え、他方が寝る人の体の右半分を支える
（Ｂ）前記一対の各シート片は、少なくとも寝る人の背中から尻の部分にまでわたる長さをもち、背中から頭部側に伸びる側の端部に、前記移動シートを移動させるための握り部がある
（Ｃ）前記一対の各シート片は、前記寝床に接する側の少なくとも一面が前記寝床側に比べて滑り性が高い
【０００８】
これらの特徴のうち、基本的な特徴はＡであり、寝る人が載る移動シートを２つに分割することにより、寝る人の下へ容易にセットすることができる。また、所定の移動後に、寝る人の下から抜き取ることも容易である。寝る人の主な重みは、背中から尻にわたる部分であり、移動シートは、少なくともそれらの部分を支える長さをもつことが必要である。したがって、分割した各シート片は、細長い形状であり、一方の端部が握り部になる。特徴Ｂが、それらの条件に対応する。
【０００９】
移動に要する力を小さくするには、移動シートを滑りやすくすることが必要である。特徴Ｃが、それに応える条件である。移動シートを構成する一対のシート片について、寝床に接する側の滑り性を良くするためには、シート片の材料として滑り性の良い材料を選ぶこと、あるいは、寝床に接する側の一面に滑り性の良い材料を被覆（被覆は、全面あるいは一部にすることができる）することが良い。たとえば、滑り性の良い材料として、ポリエステル、ポリアミドあるいはサテンなど、また、被覆材料として、シリコーン樹脂、フッ素樹脂などを利用することができる。各シート片の一面のみ滑り性を高めれば良いが、使い勝手を考えれば、両面を同様にすることが好ましい。その点、各シート片の好ましい実施形態として、表面が裏面に比べて滑りやすくなった二枚の生地を縫い合わせた構成のものを挙げることができる。
【００１０】
介護をする人の労力をさらに節約しようとする場合、各シート片の握り部として、握りやすく、しかも、握り部に加わる力が有効にシート片に伝達されるようにすることが好ましい。力の伝達の観点からすると、各シート片は、握り部のある側の端部が他方の端部に比べて幅を狭くし、その幅が握り部を握る拳の幅寸法と同等になるようにすると良い。
【００１１】
さらに、握り部は、そこを握りあるいは掴んで各シート片を移動させようとする力を加える個所である。したがって、握り部自体は、閉じたリング状、あるいは握ったり掴むための種々の形状に構成することもできる。しかし、握り部に加わる力はかなり大きく、しかもまた、移動シートは頻繁に使用されるものであるため、握り部は、握りやすく、しかも、握った手に負担（たとえば、リング状の握り部では、掌に局部的に大きな力がかかるので、掌が痛くなるおそれがある）がかからないようにするのが好ましい。この掌が痛くならないようにする観点からすると、できるだけ掌の全体に握り部が接触するようにするのが好ましい。その点、シート片を握り込むようにして握りやすくすることが良く、そのため、握り部について、シート片の他の構成部分よりも厚みがあるか、滑り性が小さいか、少なくとも一方の特性を備えるようにすると良い。特に好ましくは、クッション性があり、掌に入るような大きさの膨らみをもつ握り部である。      
【実施例】
【００１２】
図１および図２は、この発明の一実施例を示す説明図である。この発明の移動シート１０は、一対のシート片２０１，２０２から構成される。それら一対のシート片２０１，２０２のうち、一方のシート片２０１が寝る人３０の体の右半分を支え、また、他方のシート片２０２が寝る人３０の体の左半分を支える。両シート片２０１，２０２については、同じ形状および大きさにすることもできるし、左右それぞれに適した変形をすることもできる。構成部品を統一する点からすると、両シート片２０１，２０２を同一あるいは対称形状にするのが好ましい。  
【００１３】
ここでは、両シート片２０１，２０２を全く同様な構成にしている。すなわち、各シート片２０１，２０２は、表面がポリエステルなどの滑りやすい素材、裏面がゴム引きとなった二枚の生地を縫い合わせた構成である。そして、大きさも同じであり、長手方向の長さが１ｍほど、幅が２５ｃｍ弱であり、握り部５０となる部分は山形であり、端は１０ｃｍ弱である。この１０ｃｍ弱という大きさは、介護をする人の拳の幅に対応する大きさである。      
【００１４】
このような移動シート１０を用いるとき、介護をする人は、図１に示すように、各シート片２０１，２０２をベッドとその上に寝る人（介護される患者など）３０との間に差し入れる。寝る人３０の体半分に差し入れてセットするだけであるので、寝る人３０を動かさずにセット作業をすることもできるし、場合によっては、寝る人３０の体を左右に少しだけ回転させるようにしながらセット作業を行うこともできる。いずれのセット作業も、一枚物の移動シートをセットする場合に比べれば、非常に楽である。セットを終えたとき、一対のシート片２０１，２０２は、寝る人３０の下にあって、左右平行に並ぶ。各シート片２０１，２０２の一方の端部は尻部分を越えて大腿部付近に位置し、また、握り部５０のある他方の端部は、頭部を越えて頭の左右斜め上方にそれぞれ位置する。        
【００１５】
ついで、介護をする人は、寝る人３０の頭の上の方に立ち、各シート片２０１，２０２の先端の握り部５０を握りしめ、各シート片を上方に引っ張るようにして寝る人３０の位置を正す。そのとき、介護をする人は、図２に想像線で示すように、各シート片２０１，２０２を互いに左右に離すようにすると良い。そうすれば、寝る人３０の位置を正した段階で、各シート片２０１，２０２を寝る人３０の下から簡単に抜き取ることができる。また、各シート片２０１，２０２をまっすぐ上方に引っ張るようにすることにより、寝る人３０の位置を正すこともできる。その場合でも、移動シート１０が左右に分離されているため、各シート片２０１，２０２を抜き取る作業は簡単である。
【００１６】
握り部５０は、各シート片２０１，２０２の他の構成部分と同じ構成にすることもできるが、好ましくは、握りあるいは掴みやすい形態にするのが良い。たとえば、各シート片２０１，２０２を滑り性の良いプラスチック材料の織り布で作り上げ、握り部５０について、図３に示すように、より摩擦力が高い布材料５３０（たとえば、タオル地、ソフトデニムあるいは綿布など）で被うようにすることができる。そうすれば、握り部５０は、適度な厚みをもち、しかも、滑りにくく握りやすくなる。        
【００１７】
また、二枚の重ね布の間に（場合によっては、その上を図３の例のように布材料５３０などで部分的に被っても良い）、図４に示すように、楕円形状のスポンジ、扁平なゴムボール、さらには圧縮綿などから構成した立体物７０を挿入することができる。この立体物７０は、シート片２０１，２０２と一体化するように、たとえば、周りを縫い込むようにすると良い。そのような立体物７０は、クッション性があり、掌に入るような大きさの膨らみをもつため、介護をする人の手の中にうまく密着する。そのため、介護をする人は、自らの掌に大きな負担を感じることがなくなる。      
【００１８】
さらに、握り部５０については、図５に示すように、孔５０１を開けた構成（ａ）、布を折り返して鳩目などの止め具５０３で止め、折り返した上布と下布との間に手を入れるようにした構成（ｂ）、また、上部に金具５０５を付けて、手提げのようにして金具５０５を握る構成（ｃ）にすることもできる。さらにまた、握り部５０については、図６に示すように、シート片に縫いつけた紐６０を利用して、手提げ紐のような形態（ｄ、ｅ、ｆ）にすることもできる。        
【図面の簡単な説明】
【００１９】
【図１】この発明の一実施例を説明するための平面図である。
【図２】図１の実施例を説明するための別の平面図である。
【図３】好適な握り部の一例を示す部分的な斜視図である。
【図４】好適な握り部の別の例を示す部分的な斜視図である。
【図５】握り部の変形例を示す平面図である。
【図６】握り部のさらに他の変形例を示す平面図である。
【符号の説明】
【００２０】
１０  移動シート
２０１  一方のシート片
２０２  他方のシート片
３０  寝る人
５０  握り部
７０  立体物
【図１】
2007054178.tif 000003
【図２】
2007054178.tif 000004
【図３】
2007054178.tif 000005
【図４】
2007054178.tif 000006
【図５】
2007054178.tif 000007
【図６】
2007054178.tif 000008